(57)【特許請求の範囲】
【請求項１】
雨水貯留浸透施設用構造体と、通水溝部材とを含む雨水貯留浸透施設用組立体であって
、
前記構造体は、長手方向に伸びる内部空間と、２つの側板部材と、複数の仕切部材とを有し、
該２つの側板部材は、それぞれの板面が相対向する関係で、間隔を隔てて配置されており、
該複数の仕切部材は、全体として扁平状であって、前記２つの側板部材の相対向面間において前記長手方向に間隔を隔てて配置され、板面の両端で前記側板部材と結合されており、
前記通水溝部材は、半割り筒状であって、前記内部空間と、前記複数の仕切部材とを前記長手方向に沿って貫通している、
雨水貯留浸透施設用組立体。
【請求項２】
雨水貯留浸透施設用組立体と、Ｕ字溝を含む雨水貯留浸透施設であって、
前記組立体は、雨水貯留浸透施設用構造体と、通水溝部材とを含み、地中に埋設されており、
前記構造体は、長手方向に伸びる内部空間を有しており、
前記通水溝部材は、半割り筒状であって、前記内部空間を前記長手方向に沿って貫通している。
前記Ｕ字溝は、開放面が前記組立体の底面部分に向い合う関係で配置され、前記長手方向に沿って伸びている、
雨水貯留浸透施設。
【発明の詳細な説明】
【技術分野】
【０００１】
本発明は、雨水貯留浸透施設用組立体、及び、雨水貯留浸透施設に関する。
【背景技術】
【０００２】
雨水貯留浸透施設は、集水した雨水の貯留空間として地中に構築される雨水貯留施設と、集水した雨水を地中で一時的に貯留して後、地中に緩やかに排出して分散浸透させる雨水浸透施設とを含む。雨水貯留浸透施設は、雨水の有効利用の目的、雨水が河川や地下雨水管路網へ急激に流入することにより発生する都市型浸水災害を防止する目的、又は、地下水を涵養し地盤沈下を抑止する目的で、地中に構築されている。
【０００３】
ところで、この種の雨水貯留浸透施設は、具体的な用途に応じて、様々なタイプのものが開発されている。例えば、特許文献１に開示されている雨水貯留浸透施設は、所謂、浸透トレンチと呼ばれるものであって、複数の水路部材を地中に埋設し、且、筒軸方向に連結した水路施設である。水路部材は、透水性部位と遮水性部位とを備えた筒壁を有し、遮水性部位の少なくとも一部は、筒軸方向に延在するように設けられている。そして、特許文献１に開示されている水路施設では、水路部材を砕石に埋設することにより、水路部材の周囲に砕石充填空間（貯留浸透空間）を構築し、水路部材から排出された雨水を一時的に貯留するとともに、徐々に地中に分散浸透させる。
【０００４】
しかし、特許文献１に開示されている水路施設によると、以下のような問題点が生じる。まず、貯留浸透空間は、砕石を用いて構成されているから、空間率が低く、容量を充分に確保することができない。特に近年、大きな社会問題になっている都市型浸水災害は、短時間の集中豪雨により生じた雨水が、河川や地下雨水管路網へ急激に流入することにより発生することが知られている。このような都市型浸水災害を防ぐ観点から、この種の雨水貯留浸透施設の貯留浸透空間は、大量の雨水を貯留するに足るような大容量化が達成されなければならない。
【０００５】
また、貯留浸透空間には、雨水に混じって土砂や塵埃などが侵入し、堆積するため、容量確保の観点から、これら堆積物を、定期的に除去する必要がある。これに対し、貯留浸透空間が砕石を用いて構成されている場合、堆積物の除去という維持管理作業が不可能である。しかも、貯留浸透空間に溜まった堆積物を除去するには、砕石を全て敷設し直す必要があり、コスト高となる。
【０００６】
さらに、特許文献1に開示されている貯留浸透空間の構成によると、水路部材との関係で問題が生じる。即ち、水路部材の周囲に砕石を充填して、貯留浸透空間を形成する構成では、水路部材は砕石から加えられる衝撃や、重量、さらには周囲からの土圧に耐えるため機械的強度を確保する必要から、肉厚化し、且、重量化する傾向がある。従って、運搬コスト、及び、施工コストを低減することができない。
【０００７】
また、水路部材として、所謂、多孔パイプを用いる構成によると、パイプの構造が複雑になる分、製造コストの上昇を招く。
【０００８】
さらに、水路部材として多孔パイプを用いる構成によると、雨水に含まれる土砂や塵埃などにより、孔が目詰まりを生じる危険がある。しかも、通常、水路部材は、長距離に渡って連結されているから、目詰まりが生じた場合に土砂や塵埃を除去することができない。
【０００９】
加えて、多孔パイプを用いる構成によると、水路部材として必要な機械的強度を確保する観点から、孔毎の孔径が小さくなる傾向にあり、孔からの排水量に限界が生じる。即ち、短時間の集中豪雨により生じた雨水を、迅速に貯留浸透空間に排出することができない。
【特許文献１】特開２００３−２７５６５号公報
【発明の開示】
【発明が解決しようとする課題】
【００１０】
本発明の課題は、貯留浸透空間の大容量化、及び、貯水効率の向上を図ることができる雨水貯留浸透施設用組立体、及び、雨水貯留浸透施設を提供することである。
【００１１】
本発明のもう１つの課題は、コストの低減を図ることができる雨水貯留浸透施設用組立体、及び、雨水貯留浸透施設を提供することである。
【００１２】
本発明の更にもう一つの課題は、土砂の堆積を回避し、又は、維持管理を容易に行うことができる雨水貯留浸透施設用組立体、及び、雨水貯留浸透施設を提供することである。
【００１３】
本発明の更にもう一つの課題は、都市型浸水災害の発生を防止することができる雨水貯留浸透施設用組立体、及び、雨水貯留浸透施設を提供することである。
【課題を解決するための手段】
【００１４】
上述した課題を解決するため、本発明に係る雨水貯留浸透施設用組立体、及び、雨水貯留浸透施設は、次の４つの態様を含む。以下、各態様の構成と、作用効果とを説明する。
【００１５】
１．雨水貯留浸透施設用組立体について
本発明に係る雨水貯留浸透施設用組立体（組立体）は、雨水貯留浸透施設用構造体（構造体）と、通水溝部材とを含む。構造体は長手方向に伸びる内部空間と、２つの側板部材と、複数の仕切部材とを有し、２つの側板部材は、それぞれの板面が相対向する関係で、間隔を隔てて配置されており、複数の仕切部材は、全体として扁平状であって、２つの側板部材の相対向面間において一方向に間隔を隔てて配置され、板面の両端で側板部材と結合されており、通水溝部材は半割り筒状であって、構造体の内部空間と、複数の仕切部材とを構造体の長手方向に沿って貫通している。
【００１６】
上述した構造によると、組立体において、通水溝部材は、構造体の内部空間を長手方向に沿って貫通しているから、通水溝部材の周囲に、内部空間の空間容量に応じた広い貯留浸透空間を確保することができる。
【００１７】
また、通水溝部材は、構造体の内部空間を長手方向に沿って貫通しているから、構造体によって、外部からの衝撃や、荷重などから保護される。従って、通水溝部材を薄肉化すること、及び、コストを低減することができる。
【００１８】
通水溝部材は、構造体によって、外部からの衝撃や、荷重などから保護されるから、半割り筒状の構造を採ることができる。この構造によると、通水溝部材に雨水が流された場合に、開放面から円滑に雨水を溢れ出させることができるから、構造体の内部空間に対して、迅速に雨水を排出することができる。
【００１９】
さらに、通水溝部材が、半割り筒状の構造を採ることができる構造によると、開放面が管の長手方向に伸びているから、通水溝部材の内部を流れる雨水に土砂や塵埃が混じったとしても、この土砂や塵埃によって目詰まりが生じる不都合は無い。加えて、開放面が管の長手方向に伸びているから、隣接する仕切部材の間隔から、構造体の内部や、通水溝部材の内部に堆積した土砂や塵埃を容易に除去することができる。
【００２０】
通水溝部材が、半割り筒状の構造を採ることができる構造によると、製造コストを低減することができる。
【００２５】
２．第２の態様に係る雨水貯留浸透施設について
第２の態様に係る雨水貯留浸透施設は、組立体と、Ｕ字溝を有している。組立体は、構造体と、通水溝部材とを含み、地中に埋設されている。構造体は、長手方向に伸びる内部空間を有している。通水溝部材は、半割り筒状であって、内部空間を長手方向に沿って貫通している。Ｕ字溝は、開放面が雨水貯留浸透施設用組立体の底面部分に向い合う関係で、配置され、雨水貯留浸透施設用組立体の配置方向に沿って伸びている。
【００２６】
上述した構造によると、本発明に係る組立体の利点を全て有する雨水貯留浸透施設を提供することができる。さらに、第２の態様に係る雨水貯留浸透施設は、Ｕ字溝を有し、Ｕ字溝は、開放面が雨水貯留浸透施設用組立体の底面部分に向い合う関係で、配置され、雨水貯留浸透施設用組立体の配置方向に沿って伸びている。この構成によると、組立体の内部に堆積した土砂や塵埃をＵ字溝に流下させ、又は、吸引することにより、清掃することができるから、土砂の堆積を回避し、又は、維持管理を容易に行うことができる。
【００２７】
さらに、本発明に係る組立体において、通水溝部材は、半割り筒状であって、構造体の内部空間を長手方向に沿って貫通している。この構造によると、通水溝部材から溢れ出した雨水が、構造体の内部に堆積した土砂や塵埃の上に落下し、この雨水の水圧（衝撃）により土砂や塵埃をＵ字溝へ誘導することができる。従って土砂の堆積を回避し、又は、維持管理を容易に行うことができる。
【発明の効果】
【００３１】
以上述べたように、本発明によれば、次のような効果を得ることができる。
（１）貯留浸透空間の大容量化、及び、貯水効率の向上を図ることができる雨水貯留浸透施設用組立体、及び、雨水貯留浸透施設を提供することができる。
（２）コストの低減を図ることができる雨水貯留浸透施設用組立体、及び、雨水貯留浸透施設を提供することができる。
（３）土砂の堆積を回避し、又は、維持管理を容易に行うことができる雨水貯留浸透施設用組立体、及び、雨水貯留浸透施設を提供することである。
（４）都市型浸水災害の発生を防止することができる雨水貯留浸透施設用組立体、及び、雨水貯留浸透施設を提供することができる。
【発明を実施するための最良の形態】
【００３２】
図１は本発明の一実施形態に係る雨水貯留浸透施設用組立体の斜視図、図２は図１に示した組立体の分解構造を示す斜視図である。
【００３３】
図１及び図２を参照すると、本発明の一実施形態に係る雨水貯留浸透施設用組立体（組立体）は、雨水貯留浸透施設用構造体（構造体）１０と、通水溝部材２０とを含む。
【００３４】
構造体１０は、少なくとも側壁により区画された内部空間１００を有する箱状、又は、筒状であって、この内部空間１００が矢印Ｌで示す長手方向に伸びている。より具体的に説明すると、図１及び図２に示す構造体１０は、４つの仕切部材１１と、２つの側板部材１２とによって構成されている。
【００３５】
仕切部材１１は、好ましくは合成樹脂材料を用いた一体成型物である。用いられる合成樹脂材料としては、成形容易性、耐腐食性、軽量性、素材強度、素材コストなどの観点から、ポリエチレン（ＰＥ）、ポリプロピレン（ＰＰ）、塩化ビニル樹脂（ＰＶＣ）等が一般的である。
【００３６】
仕切部材１１は、好ましくは枠状、又は、フレーム状であって、長手方向Ｌの二辺と、高さ方向Ｔの二辺とによって略長方形形状に構成されており、全体として扁平状（平板状）に成型されている。さらに、仕切部材１１は、枠面内が一面から他面に向かって貫通する貫通構造となっており、リブ１１１により格子状に６分割された貫通部分１１０を有している。貫通部分１１０は、仕切部材１１の軽量化、製造コストの低減を図るとともに、内部空間１００における雨水の流動性を向上させる。
【００３７】
さらに、仕切部材１１は、長手方向Ｌの二辺と、高さ方向Ｔの二辺とが交差する板面の隅部において、長手方向Ｌの側面上、及び、高さ方向Ｔの側面上のそれぞれに、板面の厚み寸法に向かって伸びる掛止スリット１１２を有している。
【００３８】
他方、側板部材１２は、好ましくは仕切部材１１と同一の合成樹脂材料を用いて構成された一体成型物であって、板面の長手方向Ｌの二辺と、板面の高さ方向Ｔの二辺とを有し、全体として偏平状（板状）に成型されている。側板部材１２は、高さ方向Ｔで見た板面の両端縁において、同一面側に立ち上がる支持縁を有する断面コ字形状であって、一面に複数のリブブロックが立設されている。より具体的に説明すると、側板部材１２は、嵌合溝１２０と、掛止フック１２１と、通水孔１２２とを有している。
【００３９】
嵌合溝１２０は、隣接するリブブロックの立ち上がり側面間において、側板部材１２の板面を底面とする凹溝である。嵌合溝１２０は、側板部材１２の板面内において、高さ方向Ｔに沿って伸びるとともに、高さ方向Ｔに直交する長手方向Ｌに間隔を隔てて配置されている。掛止フック１２１は、嵌合溝１２０の高さ方向Ｔの両端に備えられており、掛止スリット１１２に嵌合される。この構造によると、組立体は、構成部材の部品点数が削減されることにより、製造コスト、運搬コスト、及び、組み立てコストを削減することができる。
【００４０】
側板部材１２は、リブブロックのマス目内に、一面から他面に貫通する通水孔１２２を複数有している。通水孔１２２は、組立体が雨水貯留浸透施設の地下貯留浸透空間に設置された場合に、一時的に貯留した雨水を地中に排出するために用いられる。
【００４１】
２つの側板部材１２は、それぞれの板面が相互に対面する関係で、幅方向Ｗに、間隔を隔てて配置されている。４つの仕切部材１１は、２つの側板部材１２の相対向面間において、側板部材１２の板面と直交する関係で配置されている。仕切部材１１のそれぞれは、板面が相互に対面する関係で、矢印で示す組立体１の長手方向Ｌに、間隔を隔てて配置されている。仕切部材１１の使用枚数、及び、間隔は例示であって、施工に係る具体的な雨水貯留浸透施設の規模など具体的施工条件を予め想定して決定することができる。例えば、組立体は、土圧などの押し圧力が大きくなるほど、機械的強度を確保するため単位長さあたりの仕切部材１１の枚数が増え、間隔が狭くなる傾向にある。一方、側板部材１２の間隔は、仕切部材１１の長手方向Ｌに応じて決定される。
【００４２】
４つの仕切部材１１は、側板部材１２の板面と向かい合う両辺が、掛止スリット１１２と、掛止フック１２１との凹凸嵌合（フック嵌合）により、側板部材１２と結合されている。
【００４３】
本発明に係る組立体は、構造体１０の内部に通水溝部材２０を貫通させた点に特徴の１つがある。即ち、通水溝部材２０は、所謂、雨樋のように、上面側に開放面２１を有する半割り筒状であって、側板部材１２の配置方向（長手方向Ｌ）に沿って、複数の仕切部材１１を貫通し、全体として内部空間１００を長手方向Ｌに沿って貫通している。
【００４４】
より具体的に説明すると、仕切部材１１は、貫通部分１１０のうちの１つが挿通孔１１０となっている。通水溝部材２０は、側板部材１２の配置方向（長手方向Ｌ）に沿って、複数の仕切部材１１の挿通孔１１０を貫通するとともに、全体として内部空間１００を長手方向Ｌに沿って貫通している。
【００４５】
図１及び図２に示す通水溝部材２０は、断面角形形状であるが、この構造は、仕切部材１１の挿通孔１１０が角形形状であることによる。従って、挿通孔１１０が円形形状である場合や、挿通孔１１０に受け台などを設置した場合、通水溝部材２０は、断面円形形状であってもよい。
【００４６】
図１及び図２を参照して説明した組立体の構造によると、構造体１０は長手方向Ｌに伸びる内部空間１００を有しており、通水溝部材２０は、内部空間１００を長手方向Ｌに沿って貫通しているから、通水溝部材２０の周囲に、内部空間１００の空間容量に応じた広い貯留浸透空間を確保することができる。
【００４７】
また、通水溝部材２０は、内部空間１００を長手方向Ｌに沿って貫通しているから、構造体１０（仕切部材１１や側板部材１２）によって、外部からの衝撃や、荷重などから保護されている。従って、通水溝部材２０は、外部からの衝撃や、荷重などを考慮することなく薄肉化することができ、コストを低減することができる。これに対し、従来の雨水貯留浸透施設で用いられている多孔パイプは、周囲に砕石が充填されているから、砕石から加えられる衝撃によって、表面が損傷する不具合が生じる。また、従来、多孔パイプの周囲に砕石を充填して、貯留浸透空間を形成する構成では、多孔パイプは砕石から加えられる衝撃や、重量、さらには周囲からの土圧に耐えるため機械的強度を確保する必要から、肉厚化し、且、重量化する傾向がある。従って、運搬コスト、及び、施工コストを低減することができない。
【００４８】
通水溝部材２０は、構造体１０によって、外部からの衝撃や、荷重などから保護されているから、半割り筒状の構造を採ることができる。この構造によると、通水溝部材２０に雨水が流された場合に、開放面２１から円滑に雨水を溢れ出させることができるから、内部空間１００に対して、迅速に雨水を排出することができる。これに対し、従来の雨水貯留浸透施設で用いられている多孔パイプは、必要な機械的強度を確保する観点から、孔径が小さくなる傾向にあり、孔からの排水量に限界が生じる。即ち、短時間の集中豪雨により生じた雨水を、迅速に貯留浸透空間に排出することができない。
【００４９】
さらに、通水溝部材２０が、半割り筒状の構造を採ることができる構造によると、通水溝部材２０の内部を流れる雨水に土砂や塵埃が混じったとしても、この土砂や塵埃によって目詰まりが生じる不都合は無い。加えて、開放面２１が管の長手方向Ｌに伸びているから、通水溝部材２０の内部に堆積した土砂や塵埃を容易に除去することができる。これに対し、従来の雨水貯留浸透施設で用いられている多孔パイプは、雨水に含まれる土砂や塵埃などにより、孔が目詰まりを生じる危険がある。しかも、多孔パイプは、長距離に渡って連結されているから、目詰まりが生じた場合に土砂や塵埃を除去することができない。
【００５０】
通水溝部材２０が、半割り筒状の構造を採ることができる構造によると、製造コストを低減することができる。これに対し、従来の多孔パイプを用いる構成によると、パイプの構造が複雑になる分、製造コストの上昇を招く。
【００５１】
本発明の一実施形態に係る構造体１０は、２つの側板部材１２と、複数の仕切部材１１とを含む。２つの側板部材１２は、それぞれの板面が相対向する関係で、間隔を隔てて配置されている。複数の仕切部材１１は、全体として扁平状であって、２つの側板部材１２の相対向面間において一方向に間隔を隔てて配置され、板面の両端で側板部材１２と結合されている。通水溝部材２０は、複数の仕切部材１１を、組立体１の長手方向Ｌに沿って貫通している。この構造によると、上述した組立体の利点を全て有することができるとともに、隣接する仕切部材１１の間隔から、組立体１の内部に堆積した土砂や塵埃を除去することができる。従って、土砂の堆積を回避し、又は、維持管理を容易に行うことができる。
【００５２】
図１及び図２を参照して説明した組立体は、雨水桝や、透水層などと組み合わされて雨水貯留浸透施設に用いられる。次に、本発明に係る組立体を用いた雨水貯留浸透施設について、図３乃至図５を参照して説明する。図３は本発明の一実施形態に係る雨水貯留浸透施設について、一部を省略して示す平面図、図４は図３に示した雨水貯留浸透施設の一部を抜き出して示す斜視図、及び、図５は図３に示した雨水貯留浸透施設の一部を省略して示す断面図である。図３乃至図５において、図１及び図２に示した構成部分と同一の構成部分には、同一の参照符号を付す。
【００５３】
まず、図３に示す雨水貯留浸透施設は、図１及び図２を参照して説明した組立体１を、道路排水システムに用いた場合の実施形態である。組立体１は、道路の両側に設けられるＬ字側溝３の下に埋設されており、２０〜３０ｍの間隔を隔てて隣接して埋設されている雨水桝４を連通（バイパス）している。
【００５４】
図３に示す雨水貯留浸透施設について、さらに図４及び図５を参照して詳細に説明する。図４に示した組立体１は、複数の構造体１０と、複数の通水溝部材２０とを含み、地中に埋設されている。複数の構造体１０は、長手方向Ｌに連続して配置され、全体として一体的な組立体１を構成している。図示してはいないが、複数の構造体１０は、雨水貯留浸透施設の規模に応じて、長手方向Ｌ、幅方向（Ｗ）、又は、高さ方向Ｔのいずれかに連続して配置することもできる。
【００５５】
さらに、図４を参照すると、組立体１は、面板部材１３と、遮蔽板１４とを有している。面板部材１３は、組立体１の高さ方向Ｔで見た上端面に備えられており、組立体１の内部への土砂や塵埃等の流入を防ぐ蓋として用いられている。
【００５６】
面板部材１３は、予め組立体１の高さ方向Ｔの端面と略同一の平面視形状を有するように成型されており、好ましくは図１及び図２を参照して説明した仕切部材１１、及び、側板部材１２と同一の合成樹脂材料を用いて構成された一体成型物である。
【００５７】
遮蔽板１４は、組立体１の長手方向Ｌで見た少なくとも一方側面に備えられており、組立体１の内部への土砂や塵埃等の流入を防ぐために取り付けられる。遮蔽板１４は、仕切部材１１の正面視形状と略同一の板面を有しており、好ましくは仕切部材１１及び側板部材１２と同一の合成樹脂材料を用いて構成された一体成型物である。遮蔽板１４は、面内の適当な箇所に挿通孔１４０を有している。挿通孔１４０は、一面から他面に貫通する貫通構造を有し、通水溝部材２０を外部配管などに接続するために用いられる。遮蔽板１４は、組立体１の内部への土砂や塵埃等の流入を防ぐために取り付けられるから、複数の構造体１０を長手方向Ｌに連結した場合には、その長手方向Ｌの両端の端面が遮蔽板１４によって覆われることとなる。図４からは、必ずしも明らかではないが、連結された組立体１の長手方向Ｌの他方端面にもまた、挿通孔１４０を有する遮蔽板１４が供えられている。
【００５８】
さらに、図５に示す雨水貯留浸透施設は、図４に示した組立体１と、雨水桝４と、透水層５と、送水管６と、雨水本管7とを有する。
【００５９】
組立体１は、地中に埋設されている。組立体１は、所謂、浸透トレンチであって、複数の構造体１０が、長手方向Ｌ、より具体的には矢印Ｌ２で示す雨水の流下方向に沿って連続して配置されている。
【００６０】
組立体１の周囲は、周知の不織布等によって構成された透水層５によって覆われており、透水層５を通じて組立体１の内部を流れる雨水が地中に排出されるとともに、透水層５により組立体１の内部への土砂の流入が阻止されている。透水層５は、雨水貯留浸透施設の用途に応じて、適宜変更することができる。例えば、不織布等の透水層５を、ビニールシート等の遮水層（５）に変更することにより、雨水貯留施設を構成することができる。
【００６１】
雨水桝４は、所謂、マンホール（桝体）であって、内部底面と、側壁とによって区画された内部空間４００と、第１の流入流出孔４１と、第２の流入流出孔４２と、土溜部４３とを有している。
【００６２】
第１の流入流出孔４１は、周壁を内部から外部に貫通し、通水溝部材２０は、第１の流入流出孔４１に接続されている。組立体１の通水溝部材２０の両端は、隣接するそれぞれの雨水桝４の流入流出孔４１に連なっている。即ち、雨水桝４に集められた雨水は通水溝部材２０から、構造体１０に流れ込み、通水孔１２２などから透水層５を通じて地中に分散排出される。構造体１０に流れ込んだ雨水は、流入量に応じて内部空間１００を流下方向Ｍに流下され、構造体１０の他端側に設置された雨水桝４に流下され、次の浸透トレンチへと順々に流下される。
【００６３】
第２の流入流出孔４２は、周壁を内部から外部に貫通し、底部から高さ寸法Ｔ１をもって配置されている。土溜部４３は、内部底面から第２の流入流出孔４２までの空間に形成されている。即ち、土溜部４３の容量は、第２の流入流出孔４２の高さ寸法Ｔ１により、調節することができる。
【００６４】
第２の流入流出孔４２は、第１の流入流出孔４１よりも、高さ寸法Ｔ２分だけ低い位置に形成されている。送水管６は、一端が第２の流入流出孔４２に接続され、他端が地下雨水管路網を構成する雨水本管7に接続されている。即ち、雨水桝４に集められた雨水は第２の流入流出孔４２から、雨水本管7に流れ込み、地下雨水管路網に流下される。
【００６５】
図３乃至図５に示す雨水貯留浸透施設の利点について、図６乃至図９を参照して説明する。図６は本発明のもう一つの実施形態に係る雨水貯留浸透施設について、一部を省略して示す断面図である。また、図７乃至図９は、図６に示した雨水貯留浸透施設の使用状態について、一部を省略して示す断面図である。図６乃至図９において、図１乃至図５に示した構成部分と同一の構成部分には、同一の参照符号を付す。
【００６６】
まず、図６を参照すると、少雨時（通常時）にＬ字側溝３から雨水桝４に流入した雨水Ｒは、第２の流入流出孔４２から、送水管６を通じて雨水本管7に流下される。通常時の使用により堆積した土砂や塵埃などの堆積物８は、桝内部に確保されている土溜部４３に一時的に保管される。この土溜部４３の領域の上辺境界線Ｔ1には、第２の流入流出管４２が配置されているから、上辺境界線Ｔ1以上に堆積する泥は雨水本管7に流下され、堆積が防止される。また、土溜部４３に溜まった堆積物８は定期検査時にバキューム等により除去される。
【００６７】
次に、図７を参照すると、夕立時や台風時など、短期間に大量の集中豪雨がある場合、雨水桝４の内部のウォーターラインＷＬが上昇するとともに、雨水本管7に流下される雨水Ｒが、一時的に雨水本管7からの逆流（オーバーフロー）して、雨水桝４の内部に貯留される。
【００６８】
次に、図８を参照すると、図７に示した雨水本管7からの逆流（オーバーフロー）量が増加し、雨水桝４内のウォーターラインＷＬが、第１の流入流出孔４１のところまで押し上げられると、オバーフローした雨水Ｒが、第１の流入流出孔４１に接続されている通水溝部材２０の内部に流入する。
【００６９】
次に、図９を参照すると、図８により通水溝部材２０の内部に流入する雨水Ｒは、逆流（オーバーフロー）量に応じて開放面２１から組立体１の内部に溢れ出し、内部空間１００に貯留される。貯留された雨水Ｒは、側板部材１２の通水孔１２２、及び、透水層５を通じて、時間を掛けてゆっくりと内部空間１００から地中に排出され、分散浸透される。一方、通水溝部材２０は、隣接する雨水桝４をバイパスしているから、通水溝部材２０の内部に流入する雨水Ｒは、順次、下流側の雨水桝４に送水されることにより、雨水桝４内のウォーターラインＷＬが一定に保たれる。
【００７０】
図３乃至図５に示す雨水貯留浸透施設の構造、及び、図６乃至図９に示した使用状態によると、図１及び図２を参照して説明した組立体１の利点を全て有する雨水貯留浸透施設を提供することができる。例えば、雨水貯留浸透施設は、組立体１が埋設されていることにより、構造体１０は複数の仕切部材１１と、複数の側板部材１２とを組み合わせたボックス状であるから、構造体１０を貫通している通水溝部材２０の周囲に広い貯留浸透空間を確保することができる。従って、貯留浸透空間の大容量化、及び、貯水効率の向上を図り、都市型浸水災害を防止することができる。これに対し、従来の雨水貯留浸透施設は、多孔パイプを砕石に埋設することにより、多孔パイプの周囲に貯留浸透空間（内部空間１００）を形成させる構成である。貯留浸透空間は、砕石を用いて構成されているから、空間率が低く、容量を充分に確保することができない。従って、従来の雨水貯留浸透施設では、短時間の集中豪雨により生じる都市型浸水災害を防ぐことができない。
【００７１】
通水溝部材２０が構造体１０に挿通されている構造によると、通水溝部材２０の周囲には砕石を充填する必要がないから、砕石によって通水溝部材２０が損傷する危険は生じない。
【００７２】
雨水貯留浸透施設において、雨水桝４は、第１の流入流出孔４１を有している。第１の流入流出孔４１は、第２の流入流出孔４２よりも高さ寸法Ｔ２分だけ高い位置に形成されている。この構成によると、例えば集中豪雨時において雨水本管７から雨水桝４へ雨水Ｒが逆流した場合に、雨水桝４内のウォーターラインＷＬが上昇し、オバーフローした水だけを雨水貯留浸透用組立体１の内部に案内することができる。即ち、第１及び第２の流入流出孔４１、４２の高さ寸法差Ｔ２は、雨水桝４内のオバーフローによる組立体１への送水リミットを調節する。従って、都市型浸水災害の発生を防止することができる。
【００７３】
第１の流入流出孔４１は、第２の流入流出孔４２より高い位置に形成されているから、土砂や塵埃と、雨水Ｒとを分離し、綺麗な上澄みの雨水Ｒのみを内部空間１００に送水するとともに、土溜部４３に堆積物８を溜めることができる。従って、内部空間１００に土砂が堆積する不都合を回避し、又は、維持管理を容易に行うことができる。これに対し、従来の雨水貯留浸透施設は、貯留浸透空間が砕石を用いて構成されているから、堆積物８の除去という維持管理作業が不可能である。しかも、貯留浸透空間に溜まった堆積物８を除去するには、砕石を全て敷設し直す必要があり、コスト高となる。
【００７４】
図１０は本発明のもう一つの実施形態に係る雨水貯留浸透施設について、一部を省略して示す部分断面図である。図１０において、図１乃至図９に示した構成部分と同一の構成部分には、同一の参照符号を付す。
【００７５】
図１０に示す雨水貯留浸透施設は、雨水貯留浸透施設用組立体１と、透水層５と、Ｕ字溝９を有している。Ｕ字溝９は、開放面９１が雨水貯留浸透施設用組立体１の底面部分に向い合う関係で、配置され、雨水貯留浸透施設用組立体１の配置方向（長手方向Ｌ）に沿って伸びている。
【００７６】
図１０を参照して説明した雨水貯留浸透施設の構造によると、図１乃至図９を参照して説明した利点を全て有する雨水貯留浸透施設を提供することができる。
【００７７】
さらに、本発明の一実施形態に係る雨水貯留浸透施設は、Ｕ字溝９を有し、Ｕ字溝９は、開放面９１が雨水貯留浸透施設用組立体１の底面部分に向い合う関係で、配置され、雨水貯留浸透施設用組立体１の配置方向（長手方向Ｌ）に沿って伸びている。この構成によると、組立体１の内部に堆積した土砂や塵埃をＵ字溝９に流下させ、又は、吸引することにより、清掃することができるから、土砂の堆積を回避し、又は、維持管理を容易に行うことができる。
【００７８】
さらに、本発明に係る組立体１において、通水溝部材２０は、半割り筒状であって、内部空間１００を長手方向Ｌに沿って貫通している。この構造によると、通水溝部材２０から溢れ出した雨水Ｒが、組立体１の内部に堆積した土砂や塵埃の上に落下し、この雨水Ｒの水圧（衝撃）により土砂や塵埃をＵ字溝９へ誘導することができる。従って、土砂の堆積を回避し、又は、維持管理を容易に行うことができる。
【００７９】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００８０】
【図１】本発明の一実施形態に係る雨水貯留浸透施設用組立体の斜視図である。
【図２】図１に示した組立体の分解構造を示す斜視図である。
【図３】本発明の一実施形態に係る雨水貯留浸透施設について、一部を省略して示す平面図である。
【図４】図３に示した雨水貯留浸透施設の一部を抜き出して示す斜視図である。
【図５】図３に示した雨水貯留浸透施設の一部を省略して示す断面図である。
【図６】本発明のもう一つの実施形態に係る雨水貯留浸透施設について、一部を省略して示す断面図である。
【図７】図６に示した雨水貯留浸透施設の使用状態について、一部を省略して示す断面図である。
【図８】図７に示した雨水貯留浸透施設の使用状態について、一部を省略して示す断面図である。
【図９】図８に示した雨水貯留浸透施設の使用状態について、一部を抜き出して示す部分断面図である。
【図１０】本発明のもう一つの実施形態に係る雨水貯留浸透施設について、一部を省略して示す部分断面図である。
【符号の説明】
【００８１】
１          雨水貯留浸透施設用組立体
１０        雨水貯留浸透施設用構造体
１１        仕切部材
１２        側板部材
１００      内部空間
２０        通水溝部材
４          雨水桝
４１、４２  第１、第２の流入流出孔
５          透水層／遮水層
７          雨水本管
９          Ｕ字溝
９１        開放面
Ｌ          長手方向
Ｗ          幅方向
Ｔ          高さ方向
【図１】
0005025364.tif 000002
【図２】
0005025364.tif 000003
【図３】
0005025364.tif 000004
【図４】
0005025364.tif 000005
【図５】
0005025364.tif 000006
【図６】
0005025364.tif 000007
【図７】
0005025364.tif 000008
【図８】
0005025364.tif 000009
【図９】
0005025364.tif 000010
【図１０】
0005025364.tif 000011